(57)【要約】  【課題】起動できないほど消耗した蓄電池が内蔵された携帯装置であっても、ＵＳＢ接続されたホスト装置から供給された電流で高速に蓄電池を充電する。【解決手段】携帯装置を、ＵＳＢ接続されたホスト装置に充電専用装置として認識さてホスト装置から高電流の供給を受け、充電に必要の無い主要部分への電流供給を停止に加えて、携帯装置の各部への電流の供給する制御部をスタンバイ状態にして充電電流をできるだけ多くする。【選択図】図１
2013080392.tif 000002
【特許請求の範囲】
【請求項１】
ホスト装置とＵＳＢ接続され場合に、ＵＳＢインターフェースを介して前記ホスト装置から供給される電流により、内蔵の蓄電池を充電可能な携帯装置であって、
前記ＵＳＢインターフェースを介して前記ホスト装置と通信する通信部と、
前記蓄電池の電力残量を計測すると共に前記ＵＳＢインターフェースを介して供給された電流で前記蓄電池を充電する充電部と、
当該携帯装置の各部分を制御する制御部と、
前記ＵＳＢインターフェースを介して前記ホスト機器と接続されたことを検出する接続検出部と、
前記通信部と充電部と制御部と接続検出部とを除く当該携帯装置の主要回路部分と、を具備し、
前記制御部は、前記ＵＳＢインターフェースを介して前記ホスト装置と接続された時には、前記ホスト装置から供給される第１の電流量の電力で前記主要部分を除く前記通信部と前記残量検出部と前記充電部と前記制御部とを動作させ、
前記充電部が計測した前記蓄電池の電力残量が当該携帯装置を起動させることが可能な所定閾値以下の場合、当該携帯装置を充電専用デバイスとして前記ホスト装置が認識するようにＵＳＢ規格で定義されたパラメータを設定し、当該携帯装置を前記充電専用デバイスとして認識した前記ホスト装置から前記第１の電流量より多い第２の電流量の電力の供給を受け、
前記主要回路部分への電流の供給を停止したまま、前記充電部に前記第２の電流量で蓄電池を充電させると共に、前記制御部を消費電力の少ないスタンバイ状態にすることを特徴とする携帯装置。
【請求項２】
前記携帯装置はデジタルカメラであり、前記主要回路部分は、被写体を撮影して電気信号に変換する撮像部、前記撮像部が出力する電気信号を処理して画像データを生成する画像処理部、前記画像処理部が再生した画像データを画像ファイルとして記録媒体に記憶するメモリと、前記画像データを表示する表示部とを少なくとも含むことを特徴とする請求項２に記載の携帯装置。
【請求項３】
ホスト装置と蓄電池で動作する携帯装置とがＵＳＢ接続されたシステムであって、
前記携帯装置は、
ＵＳＢインターフェースを介して前記ホスト装置と通信する第１の通信部と、
前記蓄電池の電力残量を計測すると共に前記ＵＳＢインターフェースを介して供給された電流で前記蓄電池を充電する充電部と、
当該携帯装置の各部分を制御する制御部と、
前記ＵＳＢインターフェースを介して前記ホスト機器と接続されたことを検出する接続検出部と、
前記第１の通信部と充電部と制御部と接続検出部とを除く当該携帯装置の主要回路部分と、を具備し、
前記ホスト装置は、
ＵＳＢインターフェースを介して前記携帯装置と通信する第２の通信部と、
前記ＵＳＢインターフェース介して前記携帯装置に電力を供給する電力供給部と、
前記電力提供部が提供する電力を第１の電流量から当該第１の電流量より多い第２の電流量に切り換える電流切替え部とを具備し、
前記携帯装置の制御部は、前記ＵＳＢインターフェースを介して前記ホスト装置と接続された時には、前記ホスト装置から供給される前記第１の電流量の電力で前記主要回路部分を除く前記第１の通信部と充電部と制御部と接続検出部を動作させ、
前記充電部が計測した前記蓄電池の電力残量が前記携帯装置を起動させることが可能な所定閾値以下の場合、ＵＳＢ規格で定義された所定のパラメータを充電専用デバイスとして設定し、
前記ホスト装置の電流切替え部は、前記第２の通信部が前記携帯装置から取得した前記所定のパラメータが前記充電デバイスを表わす場合、前記携帯装置に供給する電流を前記第１の電流量から前記第２の電流量に切り替え、
前記携帯装置の制御部は、前記主要回路部分への電流の供給を停止したまま、前記充電部に前記ホスト装置から供給された前記第２の電流量で蓄電池を充電させると共に、前記制御部を消費電力の少ないスタンバイ状態にすることを特徴とする充電システム。
【請求項４】
前記携帯装置はデジタルカメラであり、前記主要回路部分は、被写体を撮影して電気信号に変換する撮像部、前記撮像部が出力する電気信号を処理して画像データを生成する画像処理部、前記画像処理部が再生した画像データを画像ファイルとして記録媒体に記憶するメモリと、前記画像データを表示する表示部とを少なくとも含むことを特徴とする請求項２に記載の携帯装置。
【発明の詳細な説明】
【技術分野】
【０００１】
本発明は、内蔵の蓄電池を充電する携帯装置及充電システムに関し、特にＵＳＢケーブルを介してホスト装置から提供される電流を使用して内蔵の蓄電池を充電する携帯装置及び充電システムに関する。
【背景技術】
【０００２】
電子カメラやＩＣレコーダ等の携帯装置の電源として充電可能な蓄電池（以下、電池と称する）が幅広く用いられている。通常、それら携帯装置にはＡＣアダプタが付属し、そのＡＣアダプタを介して携帯装置内の電池を充電するか、叉は専用の充電器が付属し、その充電器に携帯装置から取り外した電池を装着して充電する。
【０００３】
一方、携帯装置をＵＳＢ（Ｕｎｉｖｅｒｓａｌ  Ｓｅｒｉａｌ  Ｂｕｓ）インターフェースを使用して、ＰＣ等のホスト装置とケーブルで接続する場合には、ホスト装置から一定の電流の供給を受けることが可能となっており、この電流を電池の充電に利用することができる。特許文献１には、ホスト装置とＵＳＢケーブルで接続されたデジタルカメラにおいて、ホスト装置から供給される電流が高電流（５００ｍＡ）の場合はバッテリを充電し、供給される電流が低電流（１００ｍＡ）の場合はバッテリは充電されず、その供給された電流で通信待機を行なうことが記載されている。
【先行技術文献】
【特許文献】
【０００４】
特開２０１０−２８７１１５号公報
【発明の概要】
【発明が解決しようとする課題】
【０００５】
ＵＳＢ２．０の規格によると、携帯装置がＵＳＢケーブルを介してホスト装置から供給を受けることが可能な電流は、コンフィギュレーション状態（Ｃｏｎｆｉｇｕｒｅｄ）では５００ｍＡ（高電流）まで可能であり、非コンフィギュレーション状態（Ｕｎｃｏｎｆｉｇｕｒｅｄ）では１００ｍＡ（低電流）まで可能である。電池の消耗が大きく携帯装置を起動することができない場合には、高電流の供給を受けるためにコンフィギュレーション状態するのに必要な処理を携帯装置で実行できず、ホスト装置から供給される低電流で充電を続けることになる。
【０００６】
本発明は上記問題に鑑みてなされたもので、蓄電池が消耗して起動できない場合であっても、ＵＳＢケーブルで接続されたホスト装置から高電流の供給を受けて短時間で内充電することができる携帯装置及び携帯装置を含む充電システムを実現することを目的とする。
【課題を解決するための手段】
【０００７】
上記目的を達成するために本発明の携帯装置は、ホスト装置とＵＳＢ接続され場合に、ＵＳＢインターフェースを介して前記ホスト装置から供給される電流により、内蔵の蓄電池を充電可能な携帯装置であって、前記ＵＳＢインターフェースを介して前記ホスト装置と通信する通信部と、前記蓄電池の電力残量を計測すると共に前記ＵＳＢインターフェースを介して供給された電流で前記蓄電池を充電する充電部と、当該携帯装置の各部分を制御する制御部と、前記ＵＳＢインターフェースを介して前記ホスト機器と接続されたことを検出する接続検出部と、前記通信部と充電部と制御部と接続検出部とを除く当該携帯装置の主要回路部分と、を具備し、前記制御部は、前記ＵＳＢインターフェースを介して前記ホスト装置と接続された時には、前記ホスト装置から供給される第１の電流量の電力で前記主要部分を除く前記通信部と前記残量検出部と前記充電部と前記制御部とを動作させ、前記充電部が計測した前記蓄電池の電力残量が当該携帯装置を起動させることが可能な所定閾値以下の場合、当該携帯装置を充電専用デバイスとして前記ホスト装置が認識するようにＵＳＢ規格で定義されたパラメータを設定し、当該携帯装置を前記充電専用デバイスとして認識した前記ホスト装置から前記第１の電流量より多い第２の電流量の電力の供給を受け、前記主要回路部分への電流の供給を停止したまま、前記充電部に前記第２の電流量で蓄電池を充電させると共に、前記制御部を消費電力の少ないスタンバイ状態にすることを特徴とする。
【０００８】
また、本発明の充電システムは、ＵＳＢ接続された携帯装置とホスト装置で構成され、前記携帯装置は、ＵＳＢインターフェースを介して前記ホスト装置と通信する第１の通信部と、前記蓄電池の電力残量を計測すると共に前記ＵＳＢインターフェースを介して供給された電流で前記蓄電池を充電する充電部と、当該携帯装置の各部分を制御する制御部と、前記ＵＳＢインターフェースを介して前記ホスト機器と接続されたことを検出する接続検出部と、前記第１の通信部と充電部と制御部と接続検出部とを除く当該携帯装置の主要回路部分と、を具備し、前記ホスト装置は、ＵＳＢインターフェースを介して前記携帯装置と通信する第２の通信部と、前記ＵＳＢインターフェース介して前記携帯装置に電力を供給する電力供給部と、前記電力提供部が提供する電力を第１の電流量から当該第１の電流量より多い第２の電流量に切り換える電流切替え部とを具備し、前記携帯装置の制御部は、前記ＵＳＢインターフェースを介して前記ホスト装置と接続された時には、前記ホスト装置から供給される前記第１の電流量の電力で前記主要回路部分を除く前記第１の通信部と充電部と制御部と接続検出部を動作させ、前記充電部が計測した前記蓄電池の電力残量が前記携帯装置を起動させることが可能な所定閾値以下の場合、ＵＳＢ規格で定義された所定のパラメータを充電専用デバイスとして設定し、前記ホスト装置の電流切替え部は、前記第２の通信部が前記携帯装置から取得した前記所定のパラメータが前記充電デバイスを表わす場合、前記携帯装置に供給する電流を前記第１の電流量から前記第２の電流量に切り替え、前記携帯装置の制御部は、前記主要回路部分への電流の供給を停止したまま、前記充電部に前記ホスト装置から供給された前記第２の電流量で蓄電池を充電させると共に、前記制御部を消費電力の少ないスタンバイ状態にすることを特徴とする
【発明の効果】
【０００９】
本発明によれば、起動できないほど消耗した蓄電池が内蔵された携帯装置であっても、ＵＳＢ接続されたホスト装置から供給された電流で高速に蓄電池を充電することができる。
【図面の簡単な説明】
【００１０】
【図１】本発明の実施の形態に係る充電システムの携帯装置の構成例を示すブロック図である。
【図２Ａ】ＵＳＢの充電規格１．２で規定されているＤｅａｄ  Ｂａｔｔｅｒｙを充電する第１の方法を説明する図である。
【図２Ｂ】ＵＳＢの充電規格１．２で規定されているＤｅａｄ  Ｂａｔｔｅｒｙを充電する第２の方法を説明する図である。
【図３】本発明の実施の形態に係るＵＳＢ充電システムの携帯装置であるデジタルカメラの充電のフローを示す図である。
【図４】本発明の実施の形態に係るＵＳＢ充電システムのホスト装置であるパーソナルコンピュータのＯＳの情報処理を示す図である。
【図５】本発明の実施の形態に係るＵＳＢ充電システムのホスト装置であるパーソナルコンピュータの充電ドライバの情報処理を示す図である。
【発明を実施するための形態】
【００１１】
以下、図面を参照して、本発明を実施するための形態について説明する。図１は、携帯装置の一例としてのデジタルカメラ（ＤＳＣ）をあげ、そのデジタルカメラのシステム構成例を示すブロック図である。
【００１２】
システムコントロールブロック１００はデジタルカメラの動作全般とＵＳＢ（Ｕｎｉｖｅｒｓａｌ  Ｓｅｒｉａｌ  Ｂｕｓ）通信を制御するブロックであり、システムコントローラ１０２とＵＳＢコントローラ１０３により構成されている。システムコントローラ１０２はＣＰＵ及びシステムを制御するための各種プログラムが記憶されたＲＯＭ及び一時的に情報を記憶するＲＡＭにより構成されている。
【００１３】
また、カメラブロック１０１は、デジタルカメラの主要な機能である撮影と画像表示を実行するブロックで、撮像回路１１０、画像処理回路１１１、表示回路１１２、メモリコントローラにより構成されている。
【００１４】
本実施の形態では、デジタルカメラの各回路に電力を供給するのは、カメラ本体内の充電可能な二次電池１０５であり、充電コントローラ１０４は、二次電池１０５の充電を制御すると共に電力残量を出力する。
【００１５】
ＵＳＢコントローラ１０３と充電コントローラ１０４はＵＳＢポート１０６を介してとホスト装置であるＰＣ（パーソナルコンピュータ）とＵＳＢケーブルで接続される。ＵＳＢポート１０６のＤ＋ライン及びＤ−ラインはホスト装置と通信するためのデータラインであり、ＶＢＵＳラインはホストから供給される電流が流れる電力ラインである。プルアップ抵抗１０８の一端は二次電池のプラス極に接続されており、システムコントローラ１０２によりスイッチ１０９をＯＮにすることによりＤ＋端子をプルアップすることができる。
【００１６】
カメラブロック１０１の撮像回路１１０は、ＣＣＤやＣＭＯＳのイメージセンサとそれらを駆動する回路で構成され、撮像光学系によりイメージセンサ表面に形成された被写体像を画像信号に変換して出力する。画像処理回路１１１は、ＡＤ変換回路と画像形成回路と圧縮伸長回路で構成され、ＡＤ変換回路は撮像回路１１０が出力したアナログの画像信号をデジタル画像信号に変換し、画像形成回路はデジタル画像信号を処理して、カラー画像データを生成し、圧縮伸長回路はカラー画像データを圧縮処理した後、画像ファイルを生成する。メモリコントローラ１１３は、メモリカードインターフェースを含み、画像処理回路１１１で生成された画像ファイルを、メモリカードインターフェースに装着された不揮発性メモリで構成されたメモリカードに記憶する。
【００１７】
表示回路１１２は、液晶の表示パネルと、その液晶パネルを駆動する液晶駆動回路から構成される。メモリコントローラ１１３によりメモリカードから読み出された画像ファイルは、画像処理回路１１１の圧縮伸長回路で伸長処理された後縮小処理されて、液晶駆動回路により液晶パネルに表示する。また、表示回路１１２は、撮影回路１１０が連続撮影して出力する画像信号を画像処理回路１１１が処理してビデオ画像を生成し、プレビュー画像として液晶パネルに動画像表示する。
【００１８】
システムコントロールブロック１００とカメラブロック１０１を構成する各回路は、システムバス１１４を介して接続されている。また、システムコントローラ１０２と充電コントローラ１０４は、ＶＢＡＴＡＤ信号、ＩＳＥＬ信号、ＣＨＤＥＮＤ信号をやり取りする。充電コントローラ１０４が出力するＶＢＡＴＡＤ信号は二次電池１０５の電力残量を表わす信号であり、ＣＨＤＥＮＤ信号は充電が完了したことをシステムコントローラ１０２に通知する信号である。一方、システムコントローラ１０２から出力されるＩＳＥＬ信号は、充電コントローラ１０４がＶＢＵＳラインを介してホスト装置から供給を受ける電流を制御する信号である。
【００１９】
システムコントロールブロック１００及びカメラブロック１０１の各回路には二次電池１０５から電力ＶＤＤが供給される。カメラブロック１０１の各回路に供給される電力は、システムコントローラから出力される信号ＶＤＤＳＥＬで制御されるスイッチ１０７によりＯＮ／ＯＦＦされる。カメラ起動時には、スイッチ１０７はＯＦＦとなっており、カメラブロック１０１の各回路には電力が供給されない構成となっている。
【００２０】
ＵＳＢのバッテリ充電規格１．２（Battery Charging Specification Revision 1.2）では、装置を動作させることができないほど消耗した蓄電池（Ｄｅａｄ  Ｂａｔｔｅｒｙ）を、装置が起動できるように充電する方法が２通り規定されている。
【００２１】
第１の方法では、ホスト装置に携帯装置（本実施の形態ではデジタルカメラ）が接続され、ホスト装置が携帯装置を識別できない状態（Ｕｎｃｏｎｆｉｇｕｒｅｄ）であっても、携帯装置はＶＢＵＳラインを通じてホスト装置から供給される１００ｍＡの電流を使用して４５分間充電することができる。この方法では、端末装置はホスト装置とＵＳＢ通信する必要がない。図２（Ａ）に示すように、充電コントローラ１０４のみ動作すればよいので、供給された電流のほとんどは二次電池１０５の充電に当てることができる。しかしながら、ホストから供給される電流は１００ｍＡと少ないので、充電に時間がかかってしまう。
【００２２】
第２の方法では、携帯装置はＶＢＵＳラインを通じて最大５００ｍＡの電流を１５分間供給を受けることが、ホスト装置は携帯装置を識別し一部通信可能な状態（Ｃｏｎｆｉｇｕｒｅｄ）で、携帯装置にホスト装置から送信されたトークンに、通常のデータ通信ができないことを知らせるNAKまたは他の有効なレスポンスで応答しなければならない。従って、図２（Ｂ）に示すように、充電コントローラ１０４とシステムコントローラ１０２とＵＳＢコントローラ１０３は動作している必要があるので、ホストから供給された電流の一部がそれらの回路で消費される。
【００２３】
図３、４、５で本実施の形態の充電システムを説明する。図３は、デジタルカメラの充電フローである。
ステップＳ１００でＵＳＢケーブルがホスト装置であるＰＣに接続されると、VBUSを介してＰＣから１００ｍＡの電流が供給される。充電コントローラはこの100mAの電流をシステムコントロールブロックに含まれる各回路に供給する。
【００２４】
ステップＳ１０１では、システムコントローラ１０２が、充電コントローラ１０４が出力したＶＢＡＴＡＤの値により、二次電池１０５の電力残量（電池残量）がデジタルカメラを起動するために必要とする電力量に達しているか否かを判定する。二次電池の電池残量がデジタルカメラを起動するだけ残ってないと判定された場合はステップＳ１０２に進み、電池残量がデジタルカメラを起動するだけ残っている場合にはステップＳ１１１に進む。
【００２５】
ステップＳ１０２では、システムコントローラ１０２は、デジタルカメラを充電専用デバイスとして認識させるために、ディスクリプタ（ＵＳＢ仕様で規定された携帯装置全体のデータを格納したデータ構造体）に充電専用デバイスであることをセットすると共に必要とするバス電流を５００ｍＡにセットする。ＰＣはこのディスクリプタの内容を取得することにより、充電専用デバイスが接続されたことを検出る。
【００２６】
ステップＳ１０３では、Ｄ＋データラインのプルアップ抵抗１０８のスイッチ１０９をONにする。続いてステップＳ１０４でＰＣとネゴシエーションが行われ、ディスクリプタの内容がＰＣに取得される。この過程でＰＣはデジタルカメラを充電専用デバイスとして認識する。
【００２７】
ステップＳ１０５で、ＰＣから送信されるＳｅｔ＿Ｃｏｎｆｉｇｕｒａｔｉｏｎリクエストの受信を待つ。Ｓｅｔ＿Ｃｏｎｆｉｇｕｒａｔｉｏｎリクエストが受信されると、最大で５００ｍＡ（ＵＳＢ３．０では９００ｍＡ）までの電流供給をVBUSラインを介して受けることができる。
【００２８】
Ｓｅｔ＿Ｃｏｎｆｉｇｕｒａｔｉｏｎリクエストを受信後、ステップＳ１０６で、システムコントローラ１０２はＩＳＥＬ信号で充電コントローラ１０４の引き込み電流を５００ｍＡに切り替える。
【００２９】
ＰＣからは、ＳＯＦ（Start of Frame）のみが送信され、意味のあるデータは送信されないので、ＵＳＢコントーラー１０３は受信したＳＯＦを読み飛ばすだけでよい。ＳＯＦはＤ＋、Ｄ−ライン上で送られるがＳＯＦの応答は存在しない。そのためステップＳ１０７でシステムコントローラ１０２をスタンバイ状態に遷移させて消費電力を下げることができる。その結果、ＶＢＵＳを介して供給される５００ｍＡの電流のより多くを二次電池の充電に利用することができる。ＳＯＦの受信は続けられるので、Ｄ＋とＤ−ラインの信号だけはアクティブとなっている。
【００３０】
ステップＳ１０８では、充電完了までLOOPを繰り返す。そして、二次電池１０５の電圧が所定の閾値を越えた場合、充電コントローラ１０４は二次電池１０５の充電が完了したと判定する。なお、図３のフローではＬＯＯＰになっているが、システムコントローラはスタンバイ状態に入ってるためＣＰＵはＷＡＩＴ状態にある。
【００３１】
ステップ１０９では、充電コントローラ１０４から出力された充電完了信号ＣＨＧＥＮＤがシステムコントローラ１０２に入力され、システムコントローラ１０２がスタンバイ状態から復帰して通常の動作状態に戻る。
【００３２】
ステップＳ１１０では、Ｄ＋ラインのプルアップ抵抗１０８のスイッチ１０９をＯＦＦにしてPCとのＵＳＢ通信を切断する。続いてステップ１１１で、システムコントローラ１０２が出力するＶＤＤＳＥＬ信号によりスイッチ１０７をＯＮにしてカメラブロック１０１に含まれる各回路に電力を供給する。
【００３３】
ステップＳ１１２では、ディスクリプタに標準デバイス（ここではマスストレージデバイス）であることを設定し、PCと再接続するためにステップＳ１１３でプルアップ抵抗１０８のスイッチ１０９をONにする。その結果、デジタルカメラはＰＣにマスストレージとして接続される。
【００３４】
次に図３で説明したデジタルカメラの充電フローに対応する、PCのＯＳと充電ドライバの処理手順について説明する。本実施形態では、デジタルカメラを充電専用デバイスとしてＰＣに認識させるために、充電ドライバをインストールしなければならない。ただし、ＯＳ側で予め準備されている場合はこの限りではない。因みに充電ドライバはＵＳＢケーブルが接続された際に不明なデバイスとして検出され、その時にインストールされてもよいし、予めインストールされておりＵＳＢケーブルが接続されたときに該当するドライバが認識され有効となってもよい。
【００３５】
図４はUSB接続時のＰＣのＯＳの処理フローである。
【００３６】
ステップＳ２００では、ＰＣはＵＳＢポートのＤ＋ラインがプルアップされていること検出してデジタルカメラが接続されたことを認識する。接続後、ステップＳ２０１でPCとデジタルカメラはお互いにネゴシエーション処理を行う（図３のＳ１０４に対応）。
【００３７】
ネゴシエーション後、ステップＳ２０２でＰＣはデジタルカメラからディスクリプタを取得し、ステップＳ２０３でそのディスクリプタが充電専用デバイスを表わすか否かを判定する。判定がＮＯの場合はデジタルカメラをマスストレージデバイスとして接続し、マスストレージデバイスとしての処理を実行する（ステップＳ２０９）。なお、デジタルカメラのマスストレージデバイスとしての接続は、Ｄ＋ラインのプルアップがOFFになったことを検出すると終了する（ステップＳ２１０）。
【００３８】
ステップＳ２０３でＹＥＳと判定された場合は、ステップＳ２０４とＳ２０５でOSは専用充電ドライバをロードした後起動して、充電ドライバに制御を移す。
【００３９】
OSは、充電ドライバに制御を渡すと、携帯装置との通信を停止するサスペンド状態に遷移するのを防ぐためにＳＯＦ（Start of Frame）パケットを送信し続ける（ステップ２０６）。ステップＳ２０７で、ＵＳＢポートのＤ＋ラインのプルアップがOFFになったのを検出すると、ＯＳは、ステップＳ２０８で充電ドライバをアンロードして処理を終了する。
【００４０】
図５は、ステップＳ２０４でロードした充電ドライバの処理フローを説明する。
【００４１】
ステップＳ３００でデジタルカメラからディスクリプタを取得する。続いてステップＳ３０１で、デジタルカメラが５００ｍＡの電流の供給を受けることができるようにＳｅｔ＿Ｃｏｎｆｉｇｕｒａｔｉｏｎリクエストを送信する。
【００４２】
その後、待機してOSからのアンロード指示を待つ。OSからアンロードが指示されると、充電ドライバが使用したリソース（メモリ類）を解放して処理を終了する。
【００４３】
以上説明したように、本実施の形態におけるデジタルカメラでは、ステップＳ１０６で充電コントローラ１０４の引き込み電流を５００ｍＡに切り替えたえた後、ステップＳ１０７でシステムコントローラをスタンバイ状態できるので充電以外に消費する電力を軽減して、充電時間を短縮することができる。
【００４４】
本実施の形態では、ホスト装置としてパーソナルコンピュータ（ＰＣ）、携帯装置としてデジタルカメラの場合について本発明を説明したが、携帯装置としてはビデオカメラやＩＣレコーダ、ミュージックプレーヤーなどの蓄電池で駆動する装置であれば良い。またホスト装置としては、ＡＣ電源や大容量の電池から電力が供給されるＵＳＢホスト機能を有する装置であれば良い。
【符号の説明】
【００４５】
１  …  デジタルカメラ
１００  …  システムコントロールブロック
１０１  …  カメラブロック
１０２  …  システムコントローラ
１０３  …  ＵＳＢコントローラ
１０４  …  充電コントローラ
１０５  …  二次電池
１０６  …  ＵＳＢポート
１０７  …  スイッチ
１０８  …  プルアップ抵抗
１０９  …  スイッチ
１１０  …  撮影回路
１１１  …  画像処理回路
１１２  …  表示回路
１１３  …  メモリコントローラ
１１４  …  システムバス
【図１】
2013080392.tif 000003
【図２Ａ】
2013080392.tif 000004
【図２Ｂ】
2013080392.tif 000005
【図３】
2013080392.tif 000006
【図４】
2013080392.tif 000007
【図５】
2013080392.tif 000008